【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
第１の要素（１２；１０２）を第２の要素（２０；２０’）に結合し、直線的な圧縮および／または引っ張り力を伝達するための結合アセンブリ（１４）であって、前記結合アセンブリは、
前記第１の要素に接続可能な保持装置アセンブリ（１２６）であって、前記保持装置アセンブリは、第１の表面（１２２Ａ）を有する第１の部材と、前記第１の表面から間隔を置かれ、前記第１の表面に面している第２の表面（１２２Ｂ）を有する第２の部材とを有する、保持装置アセンブリ（１２６）と、
前記第２の要素に接続可能な反力構造（１２０）と
を備え、
前記反力構造（１２０）は、前記第１の表面と第２の表面との間に配置され、前記反力構造、および前記第１の表面と第２の表面との間の間隔は、力を前記第１の表面と第２の表面との間で伝達している場合、前記反力構造が前記第１または第２の表面のうちの１つのみに接触するように構成され、
前記第１および第２の表面は、それぞれ、３次元湾曲表面であり、前記第１および第２の３次元湾曲表面は、力が前記結合アセンブリを通して伝達されている場合、前記第１の要素の軸（１００）を前記第２の要素の軸（６０）と整列させるように構成されている、ことを特徴とする、結合アセンブリ。
【請求項２】
前記第１および第２の３次元湾曲表面の各々は、少なくとも部分的ボールを備えている、請求項１に記載の結合アセンブリ。
【請求項３】
前記保持装置アセンブリは、少なくとも１つの開口（１３０）を含み、前記反力構造は、前記開口を通って延びている、請求項１〜２のいずれかに記載の結合アセンブリ。
【請求項４】
前記保持装置アセンブリは、対向する開口（１３０）を含み、前記反力構造は、前記開口の各々を通って延びている、請求項１〜３のいずれかに記載の結合アセンブリ。
【請求項５】
前記反力構造は、対向する凹面表面（１３１Ａ、１３１Ｂ）を含み、各凹面表面は、前記３次元湾曲表面のうちの１つに係合する、請求項１〜４のいずれかに記載の結合アセンブリ。
【請求項６】
前記第１の要素は、ロードセルを備えている、請求項１〜５のいずれかに記載の結合アセンブリ。
【請求項７】
前記ロードセル（１０２）と整列された参照ロードセル（１２）をさらに備えている、請求項６に記載の結合アセンブリ。
【請求項８】
前記第２の要素は、アクチュエータアセンブリ（１６）の可動部材を備えている、請求項１〜７のいずれかに記載の結合アセンブリ。
【請求項９】
３次元湾曲部材間の距離は、前記反力構造の幅よりも大きい、請求項１〜８のいずれかに記載の結合アセンブリ。
【請求項１０】
前記保持装置アセンブリは、少なくとも１つの開口（１３０）を含み、前記反力構造は、前記開口を通って延びており、３次元湾曲部材間の距離は、前記反力構造の幅よりも大きく、前記第１および第２の表面と前記反力構造との間の１つ以上の空間は、前記結合アセンブリの外部の見晴らしの良い点から見える、請求項１に記載の結合アセンブリ。
【請求項１１】
加力試験機内の原位置力変換器（１０２）を較正する方法であって、前記方法は、
力発生器（１０）と前記原位置力変換器との間に荷重経路を得るように、参照ロードセル（１２）および結合アセンブリ（１４）を搭載することであって、前記結合アセンブリは、反力構造（１２０）と、前記反力構造の片側に選択的に係合するように構成されている第１の部材（１２２Ａ）と、前記反力構造の前記片側と反対方向に面している側に選択的に係合するように構成されている第２の部材（１２２Ｂ）とを備えている、ことと、
前記第１の部材と前記反力構造との間の第１の空間を構成すること、および、前記第２の部材と前記反力構造との間の第２の空間を構成することも行うように前記力発生器を動作させることと、
前記反力構造が前記第１または第２の部材のうちの１つのみに接触するように前記力発生器を動作させることと
を含み、
前記第１および第２の部材のうちの１つが前記反力構造に接触するときに、前記力発生器の可動部材（２０；２０’）の軸（１００）を前記原位置力変換器の軸（６０）と整列させることであって、前記第１および第２の部材は、前記軸を整列させるように構成されたそれぞれの第１および第２の３次元湾曲表面を有する、ことを特徴とする、方法。
【請求項１２】
前記可動部材を平行移動させるように差動ねじアセンブリ（２４）を回転させることをさらに含み、前記差動ねじアセンブリは、第１のねじ山ピッチを有する第１のねじ山の組を用いて、前記可動部材にねじ式で接続された回転可能な部材（２６）を含み、前記回転可能な部材は、第２のねじ山ピッチを有する第２のねじ山の組を用いて静止部材（２２）にねじ式で接続されており、前記第２のねじ山ピッチは、前記第１のねじ山ピッチとは異なる、請求項１１に記載の方法。
【請求項１３】
前記結合アセンブリの外部の見晴らしの良い点から見えるように、前記第１および第２の表面と前記反力構造との間の１つ以上の空間を露出させることをさらに含む、請求項１１または１２に記載の方法。
【手続補正２】
【補正対象書類名】明細書
【補正対象項目名】００１７
【補正方法】変更
【補正の内容】
【００１７】
開示される別の側面は、加力試験機内の原位置力変換器を較正する方法である。本方法
は、力発生器（例えば、前述の加力装置またはアクチュエータ等の試験機上の力発生デバ
イス）と原位置力変換器との間に荷重経路を得るように、参照ロードセルおよび結合器を
搭載することであって、結合アセンブリは、反力構造と、反力構造の片側に選択的に係合
するように構成されている第１の部材と、該片側と反対の方向に面する反力構造の側に選
択的に係合するように構成されている第２の部材とを備えている、ことと、第１の部材と
反力構造との間の第１の空間を構成すること、および、第２の部材と反力構造との間の第
２の空間を構成することも行うように力発生器を動作させることとを含む。前述の上記の
特徴のいずれかは、所望に応じて、本方法において使用されることができる。
本願明細書は、例えば、以下の項目も提供する。
（項目１）
加力試験機内の原位置力変換器を較正するための加力装置アセンブリであって、
固定構造に固定されるように構成されている静止部材と、
可動部材と、
前記可動部材の端部に動作可能に結合されているロードセルと、
前記可動部材を前記静止部材に接続している差動ねじアセンブリと
を備えている、加力装置アセンブリ。
（項目２）
前記差動ねじアセンブリは、第１のねじ山ピッチを有する第１のねじ山の組を用いて、
前記可動部材にねじ式で接続されている回転可能部材を含み、前記回転可能部材は、第２
のねじ山ピッチを有する第２のねじ山の組を用いて、前記静止部材にねじ式で接続され、
前記第２のねじ山ピッチは、前記第１のねじ山ピッチと異なる、項目１に記載の加力装
置アセンブリ。
（項目３）
前記可動部材は、ねじ山付きロッドを備え、前記回転可能部材は、前記第１のねじ山の
組を備えているねじ山付きボアを有する管を備え、前記管は、前記静止部材とねじ式で接
続する前記第２のねじ山の組を有する外側表面を有する、項目２に記載の加力装置アセ
ンブリ。
（項目４）
前記静止部材に接続され、かつ前記可動部材に接続されている回転防止デバイスをさら
に備え、前記回転防止デバイスは、前記可動部材の回転を阻止するように構成されている
、項目１に記載の加力装置アセンブリ。
（項目５）
前記回転防止デバイスは、前記可動部材内に形成されている陥凹と、前記静止部材に固
定され、前記陥凹内に延びているピンとを備えている、項目４に記載の加力装置アセン
ブリ。
（項目６）
前記回転防止デバイスは、前記静止部材内に形成されている陥凹と、前記可動部材に固
定され、前記陥凹内に延びているピンとを備えている、項目４に記載の加力装置アセン
ブリ。
（項目７）
前記静止部材は、管を備え、前記可動部材は、前記管のボアの中に延びているシャフト
を備えている、項目２に記載の加力装置アセンブリ。
（項目８）
前記原位置力変換器を近接して搭載するように構成されている基部を有する反力フレー
ムと、
前記基部に固定されている垂直支持体と、
前記垂直支持体に固定されているクロスヘッドであって、前記静止部材は、前記クロス
ヘッドに固定されている、クロスヘッドと
をさらに備えている、項目１に記載の加力装置アセンブリ。
（項目９）
前記可動部材に動作可能に接続されている結合アセンブリをさらに備え、前記結合アセ
ンブリは、前記可動部材から離れた遠位端を有し、前記結合アセンブリは、力が前記結合
アセンブリを通して伝達されている場合、前記可動部材の軸を前記遠位端の軸と整列させ
るように構成されている、項目１に記載の加力装置アセンブリ。
（項目１０）
前記結合アセンブリは、
第１の３次元湾曲表面を有する第１の部材と、前記第１の３次元湾曲表面から間隔を置
かれ、前記第１の３次元湾曲表面に面している第２の３次元湾曲表面を有する第２の部材
とを含む保持装置アセンブリと、
前記第１の３次元湾曲表面と第２の３次元湾曲表面との間に配置されている反力構造と
を備え、
前記反力構造、および前記第１の３次元湾曲表面と第２の３次元湾曲表面との間の間隔
は、力を前記第１の３次元湾曲表面と第２の３次元湾曲表面との間で伝達している場合、
前記反力構造が、前記第１または第２の３次元表面のうちの１つのみに接触しているよう
なものである、項目９に記載の加力装置アセンブリ。
（項目１１）
前記結合アセンブリは、前記可動部材を前記ロードセルに接続している、項目１０に
記載の加力装置アセンブリ。
（項目１２）
前記結合アセンブリは、前記ロードセルに接続され、前記遠位端は、前記原位置力変換
器に接続されるように構成されている、項目１１に記載の加力装置アセンブリ。
（項目１３）
前記保持装置アセンブリは、少なくとも１つの開口を含み、前記反力構造は、前記開口
を通って延びている、項目１０に記載の加力装置アセンブリ。
（項目１４）
前記保持装置アセンブリは、対向する開口を含み、前記反力構造は、前記開口の各々を
通って延びている、項目１３に記載の加力装置アセンブリ。
（項目１５）
加力試験機内の原位置力変換器を較正するための加力装置アセンブリであって、
前記原位置力変換器を近接して搭載するように構成されている基部を有する反力フレー
ムと、
前記基部に固定されている垂直支持体と、
前記垂直支持体に固定されているクロスヘッドと、
前記クロスヘッドに固定されている静止部材と、
可動部材と、
前記可動部材を前記静止部材に接続している差動ねじアセンブリと
を備えている、加力装置アセンブリ。
（項目１６）
第１の要素を第２の要素に結合し、直線的な圧縮および／または引っ張り力を伝達する
ための結合アセンブリであって、前記結合アセンブリは、
前記第１の要素に接続可能な保持装置アセンブリであって、前記保持装置アセンブリは
、第１の３次元湾曲表面を有する第１の部材と、前記第１の３次元湾曲表面から間隔を置
かれ、前記第１の３次元湾曲表面に面している第２の３次元湾曲表面を有する第２の部材
とを有する、保持装置アセンブリと、
前記第２の要素に接続可能な反力構造と
を備え、
前記反力構造は、前記第１の３次元湾曲表面と第２の３次元湾曲表面との間に配置され
、前記反力構造、および前記第１の３次元湾曲表面と第２の３次元湾曲表面との間の間隔
は、力を前記第１の３次元湾曲表面と第２の３次元湾曲表面との間で伝達している場合、
前記反力構造が、前記第１または第２の３次元表面のうちの１つのみに接触するように構
成されている、結合アセンブリ。
（項目１７）
前記第１および第２の３次元湾曲表面の各々は、少なくとも部分的ボールを備えている
、項目１６に記載の結合アセンブリ。
（項目１８）
前記保持装置アセンブリは、少なくとも１つの開口を含み、前記反力構造は、前記開口
を通って延びている、項目１６に記載の結合アセンブリ。
（項目１９）
前記保持装置アセンブリは、対向する開口を含み、前記反力構造は、前記開口の各々を
通って延びている、項目１６に記載の結合アセンブリ。
（項目２０）
前記反力構造は、対向する凹面表面を含み、各凹面表面は、前記３次元湾曲表面のうち
の１つに係合する、項目１６に記載の結合アセンブリ。
（項目２１）
加力試験機内の原位置力変換器を較正する方法であって、前記方法は、
力発生器と前記原位置力変換器との間に荷重経路を得るように、参照ロードセルおよび
結合アセンブリを搭載することであって、前記結合アセンブリは、反力構造と、前記反力
構造の片側に選択的に係合するように構成されている第１の部材と、前記反力構造の前記
片側と反対方向に面している側に選択的に係合するように構成されている第２の部材とを
備えている、ことと、
前記第１の部材と前記反力構造との間の第１の空間を構成すること、および、前記第２
の部材と前記反力構造との間の第２の空間を構成することも行うように前記力発生器を動
作させることと
を含む、方法。